(57)【特許請求の範囲】
【請求項１】
電子機器の筐体に形成された開口部に取付けられる筐体取付部材であって、
上記筐体における上記開口部が形成されている壁と上記筐体の内部側から対向するように配置される取付部位を備えており、
上記取付部位には、上記開口部の形状に対応した外形の突出部位が、上記筐体の外部に向けて突出するように設けられており、
上記突出部位は、上記開口部との間に、空間である第１通気路を形成し、
上記取付部位は、上記開口部が形成されている壁との間に、上記筐体の内部および上記第１通気路と連通する空間を、第２通気路として形成しており、
上記取付部位における、上記開口部が形成されている壁と対向する面である対向面には、上記取付部位を上記開口部が形成されている壁に保持するための保持部が設けられており、
上記保持部には、上記筐体の内部と上記第２通気路とを連通する空間が、第３通気路として形成されていることを特徴とする筐体取付部材。
【請求項２】
上記取付部位には、通気孔が、上記筐体の内部と上記第２通気路とを連通するように形成されていることを特徴とする請求項１に記載の筐体取付部材。
【請求項３】
上記取付部位における、上記開口部が形成されている壁と対向する面である対向面、および上記対向面と反対側の面のいずれか一方には、通気性および防水性を有する通気フィルタが、上記通気孔を覆うように配置されていることを特徴とする請求項２に記載の筐体取付部材。
【請求項４】
上記通気孔が、上記取付部位に複数形成されていることを特徴とする請求項２または３に記載の筐体取付部材。
【請求項５】
上記筐体取付部材は、上記開口部を覆い、光透過性を有する材料で形成された透明部を有しており、
上記透明部が、上記透明部以外の上記筐体取付部材の部位と同一の材料で形成されていることを特徴とする請求項１から４のいずれか１項に記載の筐体取付部材。
【請求項６】
上記突出部位における上記開口部と対向する面が、遮光性を有する材料で塗装または蒸着されていることを特徴とする請求項５に記載の筐体取付部材。
【請求項７】
請求項１から６のいずれか１項に記載の筐体取付部材が、上記開口部に取付けられていることを特徴とする電子機器。
【発明の詳細な説明】
【技術分野】
【０００１】
本発明は、筐体取付部材および筐体取付部材を備えた電子機器に関する。
【背景技術】
【０００２】
一般に、携帯端末をはじめとする電子機器の筐体は、気密性が高く構成されていることから、急激な温度・大気圧の変化によって筐体内外に圧力差が生じ、ひいては筐体の変形、筐体に内蔵された各種電子部品の破損を招くおそれがある。そこで、近年では、筐体内外の圧力差に起因する筐体の変形等を防止するために、様々な構造を有する電子機器の筐体の研究開発が進められている。例えば、特許文献１には、カメラモジュール等が搭載された回路基板を覆う外装カバーについて、レンズ窓の配置箇所に近接する部位に、筐体内部の収容空間に通じる通気孔が形成されている携帯端末装置が開示されている。
【先行技術文献】
【特許文献】
【０００３】
【特許文献１】日本国公開特許公報「特開２０１４−１４０６０号公報（２０１４年１月２３日公開）」
【発明の概要】
【発明が解決しようとする課題】
【０００４】
しかしながら、特許文献１に開示された携帯端末装置では、上述の通気孔が外部から視認できる箇所に形成されていることから、通気孔の存在が携帯端末装置のデザイン上の制約となり、結果、携帯端末装置の外観を損ねてしまうという問題点があった。【０００５】
本発明は、前記の問題点に鑑みてなされたものであり、その目的は、電子機器の筐体に取付けることによって、電子機器の外観を損ねることなく、筐体内外の空気を通気することができる部材を実現することにある。
【課題を解決するための手段】
【０００６】
上記の課題を解決するために、本発明の一態様に係る筐体取付部材は、電子機器の筐体に形成された開口部に取付けられる筐体取付部材であって、上記筐体における上記開口部が形成されている壁と上記筐体の内部側から対向するように配置される取付部位を備えており、上記取付部位には、上記開口部の形状に対応した外形の突出部位が、上記筐体の外部に向けて突出するように設けられており、上記突出部位は、上記開口部との間に、空間である第１通気路を形成し、上記取付部位は、上記開口部が形成されている壁との間に、上記筐体の内部および上記第１通気路と連通する空間を、第２通気路として形成している。
【発明の効果】
【０００７】
本発明の一態様によれば、筐体取付部材が、筐体内外の空気の通気のための第１通気路および第２通気路を、筐体における外部からの視認が困難な領域に形成することで、電子機器の外観を損ねることなく、筐体内外の空気を通気することができる。
【図面の簡単な説明】
【０００８】
【図１】（ａ）および（ｂ）は、本発明の実施形態１に係る筐体取付部材の、スマートフォンへの取付け方法を示す概略図である。
【図２】（ａ）は、本発明の実施形態１に係る筐体取付部材が取付けられたスマートフォンのパネルにおける該筐体取付部材の取付箇所付近の部位を、表面側から見た場合の概略図である。（ｂ）は、上記スマートフォンにおける、上記取付箇所付近の部位の概略構成を示すＡ−Ａ線矢視断面図である。
【図３】本発明の実施形態２に係る筐体取付部材が取付けられたスマートフォンにおける、上記取付箇所付近の部位の概略構成を示す断面図である。
【図４】（ａ）は、本発明の実施形態３に係る筐体取付部材の概略構成を示す外観図である。（ｂ）は、本発明の実施形態３に係る筐体取付部材が取付けられたスマートフォンにおける、該筐体取付部材の取付箇所付近の部位の概略構成を示す断面図である。
【図５】本発明の実施形態４に係る筐体取付部材が取付けられたスマートフォンにおける、上記取付箇所付近の部位の概略構成を示す断面図である。
【図６】（ａ）〜（ｄ）は、本発明に係る筐体取付部材の変形例の概略構成を示す平面図である。
【発明を実施するための形態】
【０００９】
〔実施形態１〕
以下、本発明の実施の形態について、図１および図２を参照しながら、詳細に説明する。なお、本実施形態以下の各実施形態においては、本発明に係る筐体取付部材をスマートフォンに取付ける場合を例に挙げて説明する。しかしながら、スマートフォンに限らず、例えば、携帯電話機、タブレット端末、デジタルカメラおよび携帯型ゲーム機等の様々な電子機器に、本発明に係る筐体取付部材を取付けることができる。
【００１０】
また、以下の各説明においては、説明の便宜上、紙面向かって上側を上方、紙面向かって下側を下方、紙面向かって右側を右方、紙面向かって左側を左方とする。
【００１１】
＜筐体取付部材のスマートフォンへの取付け＞
まず、図１を参照して、筐体取付部材１のスマートフォン１００への取付けについて説明する。図１の（ａ）および（ｂ）は、筐体取付部材１のスマートフォン１００への取付け方法を示す概略図である。スマートフォン１００（電子機器）は、パーソナルコンピュータ・ＰＤＡ（Personal Digital Assistant：携帯情報端末）等の機能を併せ持った多機能の携帯電話機である。
【００１２】
図１の（ａ）に示すように、筐体取付部材１は、まず、スマートフォン１００の背面（図２の（ｂ）における上側の面）を構成する部材であるパネル１０ａ（筐体、筐体における開口部が形成されている壁）に形成された、円形の開口部１０ｃに取付けられる。具体的には、パネル１０ａの裏面（スマートフォン１００に内蔵されたカメラモジュール７０のレンズ部７０ａと対向する面；図１の（ｂ）参照）における開口部１０ｃの外縁に、平面視でＯ字形状の部位と略へ字形状の部位とが連なって形成されている両面接着シート１ｃ（保持部）を貼り付ける。両面接着シート１ｃの詳細については、後述する。
【００１３】
次に、後述する筐体取付部材１の突出部位１ｂ（図２の（ｂ）参照）を開口部１０ｃに挿入するとともに、両面接着シート１ｃに後述する筐体取付部材１の取付部位１ａを接着させることで、筐体取付部材１をパネル１０ａに取付ける。
【００１４】
次に、図１の（ｂ）に示すように、筐体取付部材１が取付けられたパネル１０ａを、各種電子部品が内蔵されたケース１０ｂ（筐体）に取付けることにより、筐体取付部材１がスマートフォン１００に取付けられる。このとき、パネル１０ａの開口部１０ｃの配置位置が、ケース１０ｂに内蔵されたカメラモジュール７０のレンズ部７０ａの配置位置に対応するように取り付ける。このようにしてパネル１０ａがケース１０ｂに取付けられることで、ケース１０ｂとパネル１０ａとが一体化してスマートフォン１００の筐体１０を構成することとなる。
【００１５】
なお、図１に示すような、パネル１０ａの開口部１０ｃへの筐体取付部材１の取付けはあくまで一例であり、例えば、スマートフォン１００における受話口を設けるための開口部（不図示）に、本発明に係る筐体取付部材を取付けてもよい。換言すれば、本発明に係る筐体取付部材は、スマートフォンをはじめとする種々の電子機器の筐体に形成されている開口部に取付けることができる。
【００１６】
＜スマートフォンにおける筐体取付部材の取付箇所付近の部位の構成＞
次に、図２を参照して、スマートフォン１００における筐体取付部材１の取付箇所付近の部位の構成について説明する。図２の（ａ）は、スマートフォン１００のパネル１０ａにおける、筐体取付部材１の取付箇所付近の部位を表面側から見た場合を示す概略図である。図２の（ｂ）は、スマートフォン１００における上記取付箇所付近の部位の概略構成を示すＡ−Ａ線矢視断面図である。
【００１７】
図２の（ｂ）に示すように、スマートフォン１００における筐体取付部材１の取付箇所付近の部位は、筐体取付部材１、ケース１０ｂ、パネル１０ａ、透明板２０（透明部）、カメラモジュール７０、基板８０、各種電子部品９０およびＬＣＤ（Liquid Crystal Display：液晶ディスプレイ）ユニット９０ａにより構成されている。
【００１８】
筐体取付部材１は、スマートフォン１００の筐体１０、具体的にはパネル１０ａに形成された開口部１０ｃに取付けられる部材であって、アルミニウムで成形されている。なお、筐体取付部材１はアルミニウム以外の金属材料で成形されていてもよい。また、筐体取付部材１は、図２の（ａ）に示すように、取付部位１ａ、突出部位１ｂ、両面接着シート１ｃ（保持部）および透明板配置部位１ｅで構成されている。
【００１９】
筐体取付部材１は、後述する透明板２０と開口部１０ｃとの間から、突出部位１ｂの端部が突出する構成になっており、透明板２０の外周面が突出部位１ｂの端部で取り囲まれることから、透明板２０の外縁に意匠性を持たせる役割を果たす。また、筐体取付部材１は、開口部１０ｃの壁面とカメラモジュール７０との間を突出部位１ｂで遮ることから、カメラ撮影時において、パネル１０ａにおける開口部１０ｃと近接する領域に設けられたフラッシュ１０ｄ（図２の（ａ）参照）等から発せられる光が、開口部１０ｃからカメラモジュール７０のレンズ部７０ａに射し込むことを防止する役割も果たす。
【００２０】
取付部位１ａは、パネル１０ａ（筐体における開口部が形成されている壁）の裏面と（筐体の内部側から）対向するように配置される薄板状の部位であり、図２の（ｂ）に示すように、パネル取付部位１ａ−１および通気孔形成部位１ａ−２で構成されている。
【００２１】
図２の（ａ）に示すように、パネル取付部位１ａ−１は、平面視でＯ字形状の部位であり、その外径はパネル１０ａの裏面と対向するように開口部１０ｃの内径よりも大きくなっている。また、パネル取付部位１ａ−１における、カメラモジュール７０の配置位置と対応する領域には、レンズ部７０ａおよびカメラモジュール７０の上側端部が挿入可能な大きさの、円形の第１レンズ用開口部１ｆが形成されている。通気孔形成部位１ａ−２は、パネル取付部位１ａ−１の側面に設けられた、平面視で略へ字形状の部位であり、筐体１０内外の空気を通気するための通気孔１ｄが形成されている。パネル１０ａと通気孔形成部位１ａ−２との間には、筐体１０内外の空気を通気するための空間である第２通気路４０が形成され、通気孔１ｄを介して筐体１０の内部と第２通気路とが連通している。
【００２２】
突出部位１ｂは、中空円筒形状の部位であり、その内径は、突出部位１ｂの中空部に透明板２０を挿入することが可能であり、かつ突出部位１ｂの内壁面と透明板２０との間に隙間がほとんど生じない程度の長さになっている。突出部位１ｂは、パネル１０ａの開口部１０ｃに挿入されることにより、突出部位１ｂの外壁面と開口部１０ｃの壁面との間に、筐体１０内外の空気を通気するための空間である第１通気路３０を形成する。第１通気路３０は、通気孔形成部位１ａ−２と突出部位１ｂとの連結箇所付近の領域で、第２通気路４０と連通している。また、第１通気路３０の上側の通気口（パネル１０ａの表面と同一平面上に形成）は、筐体１０の外部と連通している。なお、突出部位１ｂの外形は、上述のような円形である必要はなく、パネル１０ａの開口部１０ｃの形状に応じて任意に設計することができる。
【００２３】
なお、図２の（ａ）および（ｂ）に示す通気孔形成部位１ａ−２の配置位置はあくまで一例であり、パネル１０ａの裏面の形状、ケース１０ｂに内蔵された各種電子部品９０等との接触を考慮しつつ、通気孔形成部位１ａ−２が様々な位置に配置されるように筐体取付部材１を取付けることができる。ただし、第１通気路３０、第２通気路４０および通気孔１ｄを通じて、筐体１０内外の空気を確実に通気するためには、図２の（ｂ）に示すように、通気孔形成部位１ａ−２の下側になるべく広い空間が形成されるような位置に、通気孔形成部位１ａ−２が配置されることが好ましい。
【００２４】
両面接着シート１ｃは、取付部位１ａにおけるパネル１０ａの裏面（開口部が形成されている壁）と対向する面である対向面１ａ−３に配置される部材であり、両面接着シート１ｃによってパネル１０ａと取付部位１ａとが接着される。換言すれば、両面接着シート１ｃは、取付部位１ａをパネル１０ａに保持するための部材である。両面接着シート１ｃを構成する平面視でＯ字形状の部位の内径は、該Ｏ字形状の部位がパネル１０ａの開口部１０ｃからはみ出ない程度に該開口部１０ｃの直径より若干大きくなっている。また、Ｏ字形状の部位の外径は、該Ｏ字形状の部位がパネル取付部位１ａ−１からはみ出さない程度に、該パネル取付部位１ａ−１の外径よりも若干小さくなっている。さらに、両面接着シート１ｃを構成する平面視で略へ字形状の部位には、通気孔形成部位１ａ−２における通気孔１ｄおよびその周辺領域を塞がない程度の大きさの開放領域が形成されている（図２の（ａ）参照）。略へ字形状の部位の大きさは、通気孔形成部位１ａ−２からはみ出さない程度に、該通気孔形成部位１ａ−２よりも若干小さくなっている。
【００２５】
透明板配置部位１ｅは、突出部位１ｂの端部の内壁面からレンズ部７０ａの中心軸（不図示）に向けて突出するように形成された、平面視でＯ字形状の薄板の部位である。透明板配置部位１ｅの中央部には、レンズ部７０ａよりも若干大きな直径の、円形の第２レンズ用開口部１ｇが形成されている。また、透明板配置部位１ｅの上側の面には両面接着テープ（その他の接着体であってもよい）が張り付けられており、両面接着テープの上側の面に透明板２０を接着させることにより、該透明板２０が筐体取付部材１に固定される。カメラモジュール７０の配置位置と対応する領域には、レンズ部７０ａおよびカメラモジュール７０の上側端部が挿入可能な大きさの、円形の第２レンズ用開口部１ｇが形成されている。
【００２６】
透明板２０は、透明なプラスチック材料で形成された平板状の部材であり、筐体１０の外部からパネル１０ａの開口部１０ｃを覆うように配置されてレンズ窓を構成する。また、透明板２０は平面視で円形であり、その直径は突出部位１ｂの中空部の内径より若干小さい。なお、透明板２０の形状は平面視で円形に限られず、突出部位１ｂの中空部の形状に対応する形状であればよい。また、成形材料についても上記のようなプラスチック材料である必要はなく、光透過性を有する材料で形成されていればよい。
【００２７】
カメラモジュール７０は、レンズ部７０ａ、撮像部およびレンズ部駆動装置を備えており、オートフォーカス（ＡＦ）機能および手振れ補正機能を有する。カメラモジュール７０は、レンズ部７０ａと透明板２０とが対向するように薄板状の基板８０に実装されている。また、基板８０のカメラモジュール７０が実装されている面には、スマートフォン１００を構成する電子部品の集合体である各種電子部品９０が実装されている。各種電子部品９０としては、例えば、ＩＣチップ、メモリ等が構成部品として想定される。
【００２８】
さらに、基板８０における、カメラモジュール７０が実装されている面と反対側の面には、ＬＣＤユニット９０ａが実装されている。ＬＣＤユニット９０ａは、液晶表示パネル、タッチパネルおよび駆動部からなる複合体であり、通常の液晶表示機能に加えて、表示画面にタッチすることにより操作を行うタッチ操作機能を有している。タッチパネルは、ケース１０ｂの底壁を構成する。
【００２９】
以上のように、筐体取付部材１は、パネル１０ａとの間に第１通気路３０および第２通気路４０を形成する。したがって、筐体１０の内部と外部とが、第１通気路３０、第２通気路４０および通気孔１ｄを介して連通し、筐体１０内外の空気の通気が可能となる（図２の（ｂ）中の矢印参照）。第１通気路３０は、筐体１０の外部から視認することが困難であるともに、パネル１０ａの外観が損われる程度の空間を形成するものではない。また、第２通気路４０および通気孔１ｄは、筐体１０の外部から視認することはできない。それゆえ、筐体取付部材１を開口部１０ｃにパネル１０ａの裏面側から取付けることによって、スマートフォン１００の外観を損ねることなく、筐体１０内外の空気を通気することができる。
【００３０】
さらに、パネル１０ａと通気孔形成部位１ａ−２との間に第２通気路４０が形成されることにより、筐体１０の内部の空気を確実に第１通気路３０まで導くことができ、筐体１０の内部の空気を筐体１０の外部に確実に排出することができる。すなわち、第２通気路４０が、ダクトとしての役割を果たす。
【００３１】
〔実施形態２〕
本発明の他の実施形態について、図３に基づいて説明すれば、以下のとおりである。なお、説明の便宜上、前記実施形態にて説明した部材と同じ機能を有する部材については、同じ符号を付記し、その説明を省略する。本実施形態に係るスマートフォン２００は、筐体取付部材１に換えて筐体取付部材２が取付けられている点で、実施形態１に係るスマートフォン１００と異なる。
【００３２】
＜スマートフォンにおける筐体取付部材の取付箇所付近の部位の構成＞
図３を参照して、スマートフォン２００における筐体取付部材２の取付箇所付近の部位の構成について説明する。図３は、スマートフォン２００における上記取付箇所付近の部位の概略構成を示す断面図である。
【００３３】
図３に示すように、筐体取付部材２を構成する各部（取付部位２ａ、突出部位２ｂ、両面接着シート２ｃおよび透明板配置部位２ｅ）は、実施形態１に係る筐体取付部材１を構成する各部（取付部位１ａ、突出部位１ｂ、両面接着シート１ｃおよび透明板配置部位１ｅ）と同一の形状・大きさとなっている。また、透明板配置部位２ｅに固定されている透明板２１についても、実施形態１に係る筐体取付部材１の固定されている透明板２０と同一の形状・大きさとなっている。さらには、透明板２１の成形材料も透明板２０と同一である。
【００３４】
しかし、筐体取付部材２は、実施形態１に係る筐体取付部材１と異なり、その成形材料が透明板２０・２１の成形材料と同一の透明なプラスチックであり、取付部位２ａ・突出部位２ｂ・両面接着シート２ｃ・透明板配置部位２ｅと、透明板２１とが一体的に成形されている。換言すれば、筐体取付部材２は、その構成要素として透明板２１を有しており、透明板２１が、該透明板２１以外の筐体取付部材２の部位（取付部位２ａ・突出部位２ｂ・両面接着シート２ｃ・透明板配置部位２ｅ）と同一の材料で形成されている。このように、取付部位２ａ等と透明板２１とを一体的に成形することにより、例えば実施形態１に係る筐体取付部材１および透明板２０のように、それぞれを個別に成形する場合と比較して、部品点数を削減することができる。それゆえ、スマートフォン２００の外観を損ねることなく筐体１０内外の空気を通気できるとともに、製造コストの削減をも図ることができる。
【００３５】
また、突出部位２ｂにおける、パネル１０ａの開口部１０ｃの内壁面と対向する外側面２ｂ−１は、例えば、黒色塗装あるいはプライマー等が施されている（遮光性を有する材料で塗装または蒸着されている）。それゆえ、例えばカメラ撮影時において、フラッシュ１０ｄから放射された光が第１通気路３０および突出部位２ｂを透過してレンズ部７０ａに射し込むことによる、撮像画像への光の写り込みを防止することができる。
【００３６】
なお、筐体取付部材２について、透明板２１と該透明板２１以外の部位とが同一の成形材料で一体的に成形されている必要はなく、それぞれの成形材料が異なっていてもよい。この場合であっても、透明板２１と該透明板２１以外の部位とが一体的に成形されていることに変わりはないことから、部品点数の削減、ひいては製造コストの削減を図ることができる。
【００３７】
〔実施形態３〕
本発明の他の実施形態について、図４に基づいて説明すれば、以下のとおりである。なお、説明の便宜上、前記実施形態にて説明した部材と同じ機能を有する部材については、同じ符号を付記し、その説明を省略する。本実施形態に係るスマートフォン３００は、筐体取付部材１・２に換えて筐体取付部材３が取付けられている点で、実施形態１・２に係るスマートフォン１００・２００と異なる。
【００３８】
＜スマートフォンにおける筐体取付部材の取付箇所付近の部位の構成＞
図４を参照して、スマートフォン３００における筐体取付部材３の取付箇所付近の部位の構成について説明する。図４の（ａ）は、筐体取付部材３の概略構成を示す外観図である。図４の（ｂ）は、スマートフォン３００における筐体取付部材３の取付箇所付近の部位の概略構成を示す断面図である。
【００３９】
図４の（ｂ）に示すように、筐体取付部材３の一部を構成する突出部位３ｂおよび透明板配置部位３ｅは、実施形態１に係る筐体取付部材１の一部を構成する突出部位１ｂおよび透明板配置部位１ｅと同一の形状・大きさとなっている。なお、筐体取付部材１の成形材料は、実施形態１に係る筐体取付部材１と同一である。
【００４０】
筐体取付部材３の一部を構成する取付部位３ａについては、実施形態１に係る筐体取付部材１の一部を構成する取付部位１ａと同一の外形・大きさとなっている。しかし、取付部位３ａの第２通気路形成部位３ａ−２は、実施形態１に係る通気孔形成部位１ａ−２と同一の外形・大きさとなっているものの、通気孔１ｄが形成されていない。
【００４１】
また、図４の（ａ）に示すように、筐体取付部材３の一部を構成する両面接着シート３ｃについては、第２通気路形成部位３ａ−２と対向する位置に貼り付けられる、平面視で略へ字形状の部位に、切り欠き部が形成されている。この切り欠き部は、両面接着シート３ｃによって筐体取付部材３がパネル１０ａに固定された状態において、第２通気路形成部位３ａ−２とパネル１０ａとの間の空間を形成する。そして、この空間は、第２通気路４０と筐体１０の内部とを連通し、筐体１０内外の空気を通気するための第３通気路５０となる。第３通気路５０が形成されることによって、筐体１０の内部と外部とが、第１通気路３０、第２通気路４０および第３通気路５０を介して連通し、筐体１０内外の空気の通気が可能となる（図４の（ｂ）中の矢印参照）。
【００４２】
このように、本発明に係る筐体取付部材の取付部位に通気孔を形成する必要はなく、筐体取付部材３のように、両面接着シート３ｃに切り欠き部を形成してもよい。換言すれば、両面接着シート３ｃをはじめとする、本発明に係る筐体取付部材の取付部位を筐体における開口部が形成されている壁に保持するための保持部に、筐体の内部と第２通気路とを連通する空間が、第３通気路として形成されていれば、上記取付部位に通気孔が形成されていなくてもよい。さらに付言すれば、本発明に係る筐体取付部材の取付部位は、筐体における開口部が形成されている壁との間に、筐体の内部および第１通気路と連通する空間を、第２通気路として形成していればよい。
【００４３】
〔実施形態４〕
本発明の他の実施形態について、図５に基づいて説明すれば、以下のとおりである。なお、説明の便宜上、前記実施形態にて説明した部材と同じ機能を有する部材については、同じ符号を付記し、その説明を省略する。本実施形態に係るスマートフォン４００は、筐体取付部材１・２・３に換えて筐体取付部材４が取付けられている点で、実施形態１・２・３に係るスマートフォン１００・２００・３００と異なる。
【００４４】
＜スマートフォンにおける筐体取付部材の取付箇所付近の部位の構成＞
図５を参照して、スマートフォン４００における筐体取付部材４の取付箇所付近の部位の構成について説明する。図５は、スマートフォン４００における筐体取付部材４の取付箇所付近の部位の概略構成を示す断面図である。
【００４５】
図５に示すように、筐体取付部材４は、実施形態１に係る筐体取付部材１に通気フィルタ６０を取付けた構成になっている。具体的には、通気フィルタ６０によって取付部位１ａの対向面１ａ−３の反対側から通気孔１ｄが覆われるように、通気フィルタ６０が取付部位１ａにおける対向面１ａ−３の反対側の面上に固定される。通気フィルタ６０は、通気性および防水性を有するシート状のフィルタである。
【００４６】
このように、通気フィルタ６０で通気孔１ｄを覆うことによって、筐体１０の外部から第１通気路３０および第２通気路４０を通じて通気孔１ｄに浸入した水が、筐体１０の内部に流れ出すことを防止することができる。それゆえ、筐体１０の内部への水の浸入に起因する各種電子部品９０等の破損を防止しつつ、筐体１０内外の空気の通気をすることができる（図５中の矢印参照）。
【００４７】
なお、通気フィルタ６０は、取付部位１ａの対向面１ａ−３上に固定されていてもよい。また、取付部位１ａの上記両方の面上に、それぞれ通気フィルタ６０が固定されていてもよい。換言すれば、取付部位１ａの対向面１ａ−３および対向面１ａ−３と反対側の面のいずれか一方に、通気孔１ｄを覆うようにして通気フィルタ６０が配置されていればよい。
【００４８】
〔変形例〕
本発明に係る筐体取付部材の各実施形態である、上述の筐体取付部材１・２・３・４以外にも、様々な変形例が想定される。この点について、図６の（ａ）〜（ｄ）を用いて説明する。図６の（ａ）〜（ｄ）は、本発明に係る筐体取付部材の変形例（筐体取付部材５・６・７・８）の概略構成を示す断面図である。
【００４９】
まず、本発明に係る筐体取付部材は、図６の（ａ）に示すように、取付部位５ａにおける通気孔形成部位５ａ−２に、通気孔１ｄが複数形成されている構造の筐体取付部材５を変形例として含む。このように、通気孔１ｄを複数形成することにより、筐体内外の空気の通気をより確実に行うことができる。
【００５０】
次に、本発明に係る筐体取付部材は、図６の（ｂ）に示すように、取付部位６ａにおける通気孔形成部位６ａ−２が、平面視で略半円形状となっている構造の筐体取付部材６を変形例として含む。このように、本発明に係る筐体取付部材における取付部位の一部を構成する、通気孔形成部位（あるいは、第２通気路形成部位）の形状・大きさは、筐体に内蔵されている各種電子部品等の配置・大きさ、本発明に係る筐体取付部材が取付けられる開口部の形状・大きさ等に応じて、任意に設計することができる。
【００５１】
次に、本発明に係る筐体取付部材は、図６の（ｃ）に示すように、取付部位７ａの形状が、平面視で略正方形状であり、その四隅にそれぞれ通気孔１ｄが形成されている構造の筐体取付部材７を変形例として含む。あるいは、図６の（ｄ）に示すように、平面視で略正方形状の取付部位８ａにおける各側壁の中央部付近にそれぞれ通気孔１ｄが形成された構造の筐体取付部材８を、本発明に係る筐体取付部材の変形例として含む。なお、これらの変形例のように、４つの通気孔１ｄが上記所定の位置に形成されている必要はなく、筐体の内部構造に応じて、通気がし易くなるように通気孔１ｄの形成位置・個数を適宜変更してもよい。
【００５２】
このように、本発明に係る筐体取付部材における取付部位の形状・大きさについても、筐体に内蔵されている各種電子部品等の配置・大きさ、本発明に係る筐体取付部材が取付けられる開口部の形状・大きさ等に応じて、任意に設計することができる。
【００５３】
〔まとめ〕
本発明の態様１に係る筐体取付部材（１、２、３、４、５、６、７）は、電子機器（スマートフォン１００、２００、３００、４００）の筐体（１０）に形成された開口部（１０ｃ）に取付けられる筐体取付部材であって、上記筐体における上記開口部が形成されている壁（パネル１０ａ）と上記筐体の内部側から対向するように配置される取付部位（１ａ、２ａ、３ａ、５ａ、６ａ、７ａ）を備えており、上記取付部位には、上記開口部の形状に対応した外形の突出部位（１ｂ、２ｂ、３ｂ）が、上記筐体の外部に向けて突出するように設けられており、上記突出部位は、上記開口部との間に、空間である第１通気路（３０）を形成し、上記取付部位は、上記開口部が形成されている壁との間に、上記筐体の内部および上記第１通気路と連通する空間を、第２通気路（４０）として形成している。
【００５４】
上記構成によれば、筐体取付部材について、突出部位は、電子機器の筐体の形成された開口部との間に第１通気路を形成する。また、取付部位は、筐体における開口部が形成された壁との間に第２通気路を形成する。したがって、電子機器の筐体の内部と外部とは、第１通気路および第２通気路を介して連通することとなる。
【００５５】
ここで、第１通気路は、筐体の外部から視認することが困難な空間であり、第２通気路は、筐体の外部から視認することはできない。それゆえ、本発明に係る筐体取付部材を筐体における開口部が形成された壁に取付けることによって、電子機器の外観を損ねることなく、電子機器の筐体内外の空気を通気することができる。
【００５６】
また、筐体における開口部が形成された壁と取付部位との間に第２通気路が形成されることにより、第２通気路がダクトとしての役割を果たす。それゆえ、筐体の内部の空気を確実に第１通気路まで導くことができ、筐体の内部の空気を筐体の外部に確実に排出することができる。
【００５７】
本発明の態様２に係る筐体取付部材（１、２、４、５、６、７）は、上記態様１において、上記取付部位（１ａ、２ａ、５ａ、６ａ、７ａ）には、通気孔（１ｄ）が、上記筐体の内部と上記第２通気路とを連通するように形成されていることが好ましい。
【００５８】
上記構成によれば、本発明に係る筐体取付部材の取付部位には、通気孔が形成されていることから、電子機器の筐体の内部と外部とは、第１通気路、第２通気路および通気孔を介して連通することとなる。ここで、通気孔も筐体の外部から視認できないことから、電子機器の外観を損ねることなく、電子機器の筐体内外の空気を通気することができる。
【００５９】
本発明の態様３に係る筐体取付部材（４）は、上記態様２において、上記取付部位（１ａ）における、上記開口部が形成されている壁と対向する面である対向面（１ａ−３）、および上記対向面と反対側の面のいずれか一方には、通気性および防水性を有する通気フィルタ（６０）が、上記通気孔を覆うように配置されていることが好ましい。
【００６０】
上記構成によれば、通気フィルタが、取付部位に形成された通気孔を覆うように配置されることから、電子機器の筐体の外部から第１通気路に浸入した水が、第２通気路および通気孔を通じて筐体の内部に流れ出すことを防止することができる。それゆえ、筐体に内蔵された各種電子部品が筐体内部への水の浸入に起因して破損することを防止しつつ、電子機器の外観を損ねることなく、筐体内外の空気の通気をすることができる。
【００６１】
本発明の態様４に係る筐体取付部材（３）は、上記態様１から３のいずれかにおいて、上記取付部位（３ａ）における、上記開口部が形成されている壁と対向する面である対向面には、上記取付部位を上記開口部が形成されている壁に保持するための保持部（両面接着シート３ｃ）が設けられており、上記保持部には、上記筐体の内部と上記第２通気路とを連通する空間が、第３通気路（５０）として形成されていることが好ましい。
【００６２】
上記構成によれば、取付部位の対向面に設けられた保持部には、第３通気路が形成されていることから、電子機器の筐体の内部と外部とは、第１通気路、第２通気路および第３通気路を介して連通することとなる。ここで、第３通気路も筐体の外部から視認できないことから、電子機器の外観を損ねることなく、電子機器の筐体内外の空気を通気することができる。
【００６３】
本発明の態様５に係る筐体取付部材（２）は、上記態様１から４のいずれかにおいて、上記筐体取付部材は、上記開口部を覆い、光透過性を有する材料で形成された透明部（透明板２１）を有しており、上記透明部が、上記透明部以外の上記筐体取付部材の部位（取付部位２ａ・突出部位２ｂ・両面接着シート２ｃ・透明板配置部位２ｅ）と同一の材料で形成されていることが好ましい。
【００６４】
上記構成によれば、本発明に係る筐体取付部材について、透明部と該透明部以外の部位とが光透過性を有する同一の材料で形成されている。したがって、例えば、透明部をレンズ窓として用いる場合において、レンズ窓とレンズ窓以外の筐体取付部材の部位とをそれぞれ個別に成形する場合に比べて、部品点数を削減することができる。それゆえ、製造コストを削減しつつ、電子機器の外観を損ねることなく、電子機器の筐体内外の空気を通気することができる。
【００６５】
本発明の態様６に係る筐体取付部材は、上記態様５において、上記突出部位（２ａ）における上記開口部と対向する面（外側面２ｂ−１）が、遮光性を有する材料で塗装または蒸着されていることが好ましい。
【００６６】
上記構成によれば、例えば、電子機器に備えられたフラッシュ等から光が放射されても、該光が突出部位を透過することを防止することができる。それゆえ、光が突出部位を透過して筐体に内蔵された各種電子部品に射し込むことによる、該各種電子部品への悪影響を防止しつつ、電子機器の外観を損ねることなく、電子機器の筐体内外の空気を通気することができる。
【００６７】
本発明の態様７に係る電子機器は、上記態様１から６のいずれかに係る筐体取付部材が、上記開口部に取付けられていることが好ましい。上記構成によれば、外観が損なわれることなく、電子機器の筐体内外の空気を通気することができる電子機器を提供することができる。
【符号の説明】
【００６８】
１、２、３、４、５、６、７：筐体取付部材
１ａ、２ａ、３ａ、５ａ、６ａ、７ａ：取付部位    １ａ−３：対向面
１ｂ、２ｂ、３ｂ：突出部位    １ｃ、２ｃ、３ｃ：両面接着シート（保持部）
１ｄ：通気孔    ２ｂ−１：外側面（突出部位における開口部と対向する面）
１０：筐体（電子機器の筐体）
１０ａ：パネル（筐体における開口部が形成されている壁）    １０ｃ：開口部
２１：透明板（透明部）    ３０：第１通気路    ４０：第２通気路
５０：第３通気路    ６０：通気フィルタ
１００、２００、３００、４００：スマートフォン（電子機器）
【図１】
0006620220.tif 000002
【図２】
0006620220.tif 000003
【図３】
0006620220.tif 000004
【図４】
0006620220.tif 000005
【図５】
0006620220.tif 000006
【図６】
0006620220.tif 000007